(57)【特許請求の範囲】
【請求項１】
衣服を着せる人体型を備え、この人体型の肩幅が調節可能に形成されている衣服仕上げ機であって、上記の衣服の襟元に対応する人体型の肩の位置から肩口までの人体型の肩部の全体又は肩口側の一部が、肩部の傾斜方向に沿ってスライド動作可能に形成され、また上記の人体型にボディカバーが装着され、このボディカバーの両方の肩口の上部に紐が弧状に且つ左右一対状に縫い付けられ、この左右一対の紐に引っ張り部材の上端が紐を一括りにして取り付けられ、この引っ張り部材の下端にフックが取り付けられ、フックが引っ張り部材を介してボディカバーの肩口の上部中央から吊り下げられ、このフックの引っ掛け箇所が、人体型の肩口から内方に入った人体型の肩部の支持位置に設けられ、ボディカバーの肩口が、人体型の肩口を巻き込むように引っ張り部材で奥側に引っ張られて人体型の肩口に密着可能に形成されていることを特徴とする衣服仕上げ機。
【請求項２】
請求項１記載の衣服仕上げ機の人体型に装着して使用するボディカバーであって、両方の肩口の上部に紐が弧状に且つ左右一対状に縫い付けられ、この左右一対の紐に引っ張り部材の上端が紐を一括りにして取り付けられ、この引っ張り部材の下端にフックが取り付けられ、フックが引っ張り部材を介してボディカバーの肩口の上部中央から吊り下げられていることを特徴とするボディカバー。
【請求項３】
請求項１記載の衣服仕上げ機であって、人体型の肩部が、人体型の前側の下方に起立状に設けられて前後方向に回動する操作レバーと、この操作レバーの回動操作で縦方向の軸心を中心に正逆回転するよう人体型の左右方向の中央に垂直に設けられている軸棒と、この軸棒の正逆回転で人体型の左右の肩部を互いに接離する方向に同時に進退動作させるリンク装置と、肩部を傾斜方向に沿って案内する案内部とを備えてなる動作機構でスライド可能に形成されていることを特徴とする衣服仕上げ機。
【発明の詳細な説明】
【技術分野】
【０００１】
本発明は、洗濯物であるブラウスやシャツ等の衣服を、人体型に着せた状態で仕上げる衣服仕上げ機に関し、更に詳しくは人体型の肩幅を調節する機能を備えた衣服仕上げ機及びこれに使用するボディカバーに関するものである。
【背景技術】
【０００２】
従来、この種の仕上げ機としては、例えば特許文献１に記載されているものがある。この従来機は、人体型の肩の先端のパッドをシリンダで進退動作させ、これにより肩幅の調節が可能になるよう形成されていた。
また従来、特許文献２に記載されているように、人体型の中央の押し棒を上下動することにより、肩部の進退動作を可能にしているものも知られている。
【０００３】
而して、特許文献１に記載の従来機は、肩と、その先端のパッドとの間に生じる段差が衣服の肩に皴を付ける、という問題点があった。
また特許文献２に記載の従来機は、押し棒を操作すると、人体型の肩部が傾いて少し回りながら進退動作する。従ってこの場合は、衣服の肩と、人体型の肩部との間に隙間が生じ、衣服の肩が人体型の肩部にフィットし難くいものであった。その結果、これによると、衣服の肩に皴が発生するのを避けられず、衣服を綺麗に仕上げることができない、という問題点があった。
【０００４】
また従来、この種の仕上げ機の人体型に装着されるボディカバーは、肩幅の調節に伴ってボディカバーの肩口等に弛みが発生し易かった。
従って従来機によると、この種の弛みが衣服に皴を付け易い、という問題点があった。
【先行技術文献】
【特許文献】
【０００５】
【特許文献１】特開２０００−１５７７９８号公報
【特許文献２】特許第２６８０２０３号公報
【発明の概要】
【発明が解決しようとする課題】
【０００６】
本発明は、このような従来技術の問題点に鑑み、提案されたものである。
従って本発明の解決しようとする技術的課題は、衣服を着せる人体型を備え、この人体型の肩幅を調節することができる衣服仕上げ機において、肩幅を調節することによって衣服に皴が付くことを防止し、衣服を綺麗に仕上げることができるよう形成した衣服仕上げ機及びこれに使用するボディカバーを提供することにある。
【課題を解決するための手段】
【０００７】
本発明は、上記の課題を解決するため、次のような技術的手段を採る。
即ち本発明は、図１等に示されるように、衣服１を着せる人体型２を備え、この人体型２の肩幅が調節可能に形成されている衣服仕上げ機であって、上記の衣服１の襟元に対応する人体型２の肩の位置から肩口までの人体型２の肩部３の全体又は肩口側の一部が、肩部３の傾斜方向に沿ってスライド動作可能に形成され、また上記の人体型２にボディカバー１９が装着され、このボディカバー１９の両方の肩口の上部に紐２２が弧状に且つ左右一対状に縫い付けられ、この左右一対の紐２２に引っ張り部材２０の上端が紐２２を一括りにして取り付けられ、この引っ張り部材２０の下端にフック２１が取り付けられ、フック２１が引っ張り部材２０を介してボディカバー１９の肩口の上部中央から吊り下げられ、このフック２１の引っ掛け箇所２３が、人体型２の肩口から内方に入った人体型２の肩部３の支持位置に設けられ、ボディカバー１９の肩口が、人体型２の肩口を巻き込むように引っ張り部材２０で奥側に引っ張られて人体型２の肩口に密着可能に形成されていることを特徴とする（請求項１）。
【０００８】
ここで、衣服１の襟元に対応する人体型２の肩の位置とは、具体的には人体型２の首２ａの付け根やその近傍の位置を意味する。スライドする肩部３と、人体型２との間に生じる段差を、これらの箇所に配置する場合は、段差の位置が衣服１の襟元に対応しているため、衣服１の肩に段差が原因の皴が付くことを防止できるものである。
【０００９】
ここで、引っ張り部材２０としては、例えばコイルスプリングやゴム紐などがある。
【００１０】
また本発明のボディカバー１９としては、請求項１記載の衣服仕上げ機の人体型２に装着して使用するボディカバー１９であって、両方の肩口の上部に紐２２が弧状に且つ左右一対状に縫い付けられ、この左右一対の紐２２に引っ張り部材２０の上端が紐２２を一括りにして取り付けられ、この引っ張り部材２０の下端にフック２１が取り付けられ、フック２１が引っ張り部材２０を介してボディカバー１９の肩口の上部中央から吊り下げられていることを特徴とするものがある（請求項２）。
【００１１】
また請求項１記載の衣服仕上げ機は、人体型２の肩部３が、図４〜図１１に示されるように、人体型２の前側の下方に起立状に設けられて前後方向に回動する操作レバー４ａと、この操作レバー４ａの回動操作で縦方向の軸心を中心に正逆回転するよう人体型２の左右方向の中央に垂直に設けられている軸棒４ｂと、この軸棒４ｂの正逆回転で人体型２の左右の肩部３を互いに接離する方向に同時に進退動作させるリンク装置４ｃと、肩部３を傾斜方向に沿って案内する案内部４ｄとを備えてなる動作機構４でスライド可能に形成されているのが好ましい（請求項３）。
なぜならこれによると、作業者は手を降ろした楽な姿勢で人体型２の肩幅を調節できるからである。
【発明の効果】
【００１２】
本発明の仕上げ機は、このように構成されているから、本発明によれば、人体型の肩幅を調節する構造によって衣服の肩に皴が付くことを防止でき、衣服を綺麗に仕上げることができる。
また本発明の場合は、ボディカバーの弛みを防止できるから、ボディカバーの弛みが原因となる皴の発生を防止できる。
また本発明のボディカバーは、人体型の肩幅が調節されると、それに応じて人体型の肩口にボディカバーの肩口が密着する。従ってこれによれば、ボディカバーの弛みを防止でき、ボディカバーの弛みが原因となる皴の発生を防止でき、衣服を綺麗に仕上げることができる。
【図面の簡単な説明】
【００１３】
【図１】本発明の衣服仕上げ機の好適な一実施形態を示し、Ａは要部斜視図、Ｂは要部拡大斜視図である。
【図２】ボディカバーの要部側面図である。
【図３】同上仕上げ機の要部側面図である。
【図４】同上仕上げ機の要部正面図である。
【図５】図４のＶ−Ｖ線から見た要部平面図である。
【図６】同上仕上げ機の要部斜視図である。
【図７】同上仕上げ機の要部側面図である。
【図８】同上仕上げ機の要部正面図である。
【図９】図８のＩＸ−ＩＸ線から見た要部平面図である。
【図１０】同上仕上げ機の要部縦断面図である。
【図１１】図１０のＸＩ−ＸＩ線から見た要部拡大断面図である。
【図１２】ボディカバーを示し、Ａは正面図、Ｂは右側面図である。
【図１３】ボディカバーの要部斜視図である。
【発明を実施するための形態】
【００１４】
以下、本発明を実施するための好適な一実施形態を、添付図面に従って説明する。
本発明は、図１等に示されるように、衣服１としての例えばブラウスを着せる人体型２を備え、この人体型２の肩幅が調節可能に形成されている。人体型２は、人体の胴を模されている。
【００１５】
この場合、本発明は、衣服１の襟元に対応する人体型２の肩の位置から肩口までの人体型２の肩部３の全体が、肩部３の傾斜方向に沿ってスライド動作可能に形成されている。この実施形態の場合、肩部３は、人体型２の首２ａの付け根付近から肩口までの長さに形成されている。また人体型２の肩部３は、この実施形態では図３に示されるように、断面が略半円形の樋形状に、金属板で形成されている。なお、この金属板には、衣服１の肩の乾燥を促進できるよう、熱風を通す孔３ａが多数形成されている。
【００１６】
４（図４〜図１１参照）は、人体型２の肩部３をスライド動作するための動作機構である。この動作機構４は、人体型２の前側の下方に起立状に設けられて前後方向に回動する操作レバー４ａと、この操作レバー４ａの回動操作で縦方向の軸心を中心に正逆回転するよう人体型２の左右方向の中央に垂直に設けられている軸棒４ｂと、この軸棒４ｂの正逆回転で人体型２の左右の肩部３を互いに接離する方向に同時に進退動作させるリンク装置４ｃと、肩部３を傾斜方向に沿って案内する案内部４ｄとを備えてなる。
【００１７】
操作レバー４ａは、この実施形態では人体型２の右側に起立状に設けられている。この操作レバー４ａの下端は、仕上げ機のベース部５に固定されている平行一対状の起立片６に横軸７で枢着されている。
【００１８】
８（図５、図６等参照）は、操作レバー４ａの動きを、人体型２の下部に横向きに設けられている軸部材９に伝達するための伝動棒である。この伝動棒８の前端は、操作レバー４ａの下端より少し上の位置に軸１０を介して枢着されている。この軸１０の両端は、起立片６の弧状の案内用スリット６ａに係合されている。また伝動棒８の後端は、軸部材９と一体化している上向き状の連結部９ａの上端に枢着されている。これにより、作業者が、操作レバー４ａを前後に回動すると、軸部材９がその軸心を中心に前後方向に回転する。
【００１９】
そして軸部材９の回転は、変換部１１を介して軸棒４ｂに伝わり、軸棒４ｂを正逆回転するよう形成されている。変換部１１は、軸棒４ｂの側に向かって斜め後方に軸部材９から立ち上げられている棒部材１１ａと、この棒部材１１ａの動きを軸棒４ｂに伝えるための伝動部材１１ｂとで形成されている。伝動部材１１ｂは、帯状の金属材が二つ折りされて形成され、両端が軸棒４ｂに固定されている。棒部材１１ａの上部は、この伝動部材１１ｂの間に通され、伝動部材１１ｂで挟まれている。
【００２０】
従って操作レバー４ａが後側に回され、軸部材９が後方に回転すると、この軸部材９と一緒に棒部材１１ａが回転し、この棒部材１１ａは伝動部材１１ｂの間を下方にずれながら、伝動部材１１ｂを反時計方向に押し回す（図４、図５参照）。その結果、伝動部材１１ｂと一体化している軸棒４ｂが、反時計方向に回転するものである。なお、軸棒４ｂは、人体型２の内部の固定板１２に支持されている。
【００２１】
リンク装置４ｃは、図４、図８、図９に示されるように、軸棒４ｂの上端に中央が固定されている水平状のプレート１３と、このプレート１３の端部に内端が上から通されて枢着されると共に、外端が肩部３の内側の取付部１４に枢着されている左右一対の細長い棒状部材１５とを備え、軸棒４ｂを中心に線対称状に形成されている。なお、棒状部材１５の内端と外端は、この実施形態では枢着箇所から外れないよう、フック状に折り曲げられている。また取付部１４は、この実施形態では肩部３の内側に、短幅方向に沿って架け渡された板材で形成されている。
【００２２】
また案内部４ｄは、図１０、図１１に示されるように、スリット１６を有して板状に形成されている。この案内部４ｄは、肩部３の下面と対向する人体型２の上枠２ｂの傾斜位置に設けられている。またスリット１６は、肩部３の進退方向に沿って直線状に形成されている。そしてこのスリット１６に係合軸１７が通されている。係合軸１７の上端は、肩部３の適宜位置に固定されている。また係合軸１７は、下端にナット１８が締め付けられ、スリット１６に案内される際、抜け外れることがないよう形成されている。
【００２３】
また本発明は、図1等に示されるように、人体型２にボディカバー１９が装着されている。このボディカバー１９は、図２等に示されるように、両方の肩口に、引っ張り部材２０を介してフック２１が吊り下げられている。引っ張り部材２０は、この実施形態ではコイルスプリングが使用されている。またフック２１は、本発明では、ボディカバー１９の肩口を人体型２の肩部３の肩口から内方にバランス良く引き込むことができるよう、ボディカバー１９の肩口の上部中央から吊り下げられている。この場合、引っ張り部材２０は、左右一対の紐２２に、上端が取り付けられている。紐２２は、ボディカバー１９の肩口の上部に、弧状に縫い付けられている。このように本発明では、フック２１の取り付けに左右一対の紐２２が利用されているから、これによればボディカバー１９の肩口を広い範囲にわたって引き寄せて肩部３の肩口を覆うことができる。
【００２４】
また本発明は、図１Ｂ、図１０に示されるように、フック２１の引っ掛け箇所２３が、人体型２の肩口から内方に入った人体型２の肩部３の支持位置に設けられている。本発明は、フック２１が、引っ掛け箇所２３に固定されることにより、ボディカバー１９の肩口が、人体型２の肩口を巻き込むように、引っ張り部材２０で奥側に引っ張られる。
【００２５】
なお、ボディカバー１９の下部は、図１３に示されるように、袋状に折り返され、この折り返し部１９ａに締め紐１９ｂが通されている。またボディカバー１９の下部は、適宜位置に、雌雄の面状ファスナー１９ｃが設けられている。ボディカバー１９は、これらの締め紐１９ｂ等を利用して、人体型２に取り付けられる。
【００２６】
またボディカバー１９は、図１２に示されるように、この実施形態では通気性の良い生地１９ｄと、非通気性の生地１９ｅとが縫い合わされて形成されている。１９ｆは、縫い目である。またボディカバー１９の側部１９ｇは、人体型２の側部に起立されている側板２４（図１参照）に、上から被せて装着できるよう、挿し込み用の隙間を有して袋状に形成されている。この実施形態の場合、ボディカバー１９は、その側部１９ｇが側板２４に被せられるため、身頃に弛みが生じることを防止できる。２５は、衣服１の側面を押さえるためのパッドである。このパッド２５は、側板２４に押し付けられる。また２６は、衣服１の前身頃を押さえるための押さえ部材である。
【００２７】
次に本発明の作用を説明する。
本発明は、衣服１のサイズに合わせて作業者が肩幅を調節して使用する。図４に示される状態は、小さいサイズの衣服１に対応するよう、肩幅を縮めた場合である。
【００２８】
具体的には、作業者が、操作レバー４ａを後側に押す。すると、軸部材９が、同図に矢印で示されるように後側に回り、この軸部材９と一緒に棒部材１１ａが同方向に回転する。この場合、棒部材１１ａは、軸棒４ｂの側に傾けられているため、伝動部材１１ｂの間から下方にずれながら、伝動部材１１ｂを反時計方向に押し回す。従って伝動部材１１ｂと一緒に軸棒４ｂが、同図に矢印で示されるように、反時計方向に回転する。すると、軸棒４ｂと一緒にプレート１３が同方向に回り、棒状部材１５を、図８に示す状態から図９に鎖線で示すように、内方に引き寄せる。この結果、人体型２の肩部３が、肩の傾斜方向に沿ってスライドしながら引き上げられ、肩幅が縮小される（図４の状態参照）。
【００２９】
また肩幅を拡げる場合は、作業者が、操作レバー４ａを手前に引く。これにより、軸部材９等が、上例とは逆に動作し、その結果、肩部３が、図４に示される状態から側方に張り出される（図８の状態参照）。
【００３０】
而して、肩部３が進退動作すると、人体型２に装着されているボディカバー１９の肩口が、肩部３の動きに連れて肩部３の内方に引き込まれたり、張り出したりする。
即ち、ボディカバー１９は、図１Ｂに示されるように、フック２１が、人体型２内の引っ掛け箇所２３に引っ掛けられている。この引っ掛け箇所２３は、固定されているため、肩部３が、例えば人体型２の内方にスライドすると、引っ張り部材２０が、図１０に実線で示されるように、収縮して復元する。従ってこの引っ張り部材２０の復元力で、ボディカバー１９は弛みを作ることなく、肩口が肩部３の内方に引き込まれる。
【００３１】
また肩部３が張り出されると、引っ張り部材２０が、同図に鎖線で示されるように伸ばされる。従ってこの引っ張り部材２０の復元力でボディカバー１９の肩口が、人体型２の肩部３の肩口を巻き込むように配置される。従ってこの場合も、ボディカバー１９は引っ張り部材２０の作用で、弛むことがない。
【００３２】
以上の処において、本発明のボディカバー１９は、人体型２の肩部３の肩口側の一部が、傾斜状にスライドして進退動作可能に形成されている仕上げ機に適用されるのでも良い。なぜなら、この場合も、肩部３の進退動作に応じて、ボディカバー１９の肩口を、引っ張り部材２０の作用で、人体型２の肩部３の肩口にフィットさせることができるからである。
【符号の説明】
【００３３】
１      衣服
２      人体型
３      肩部
１９    ボディカバー
２０    引っ張り部材
２１    フック
２２ 紐
２３    引っ掛け箇所
【図１】
0005593535.tif 000002
【図２】
0005593535.tif 000003
【図３】
0005593535.tif 000004
【図４】
0005593535.tif 000005
【図５】
0005593535.tif 000006
【図６】
0005593535.tif 000007
【図７】
0005593535.tif 000008
【図８】
0005593535.tif 000009
【図９】
0005593535.tif 000010
【図１０】
0005593535.tif 000011
【図１１】
0005593535.tif 000012
【図１２】
0005593535.tif 000013
【図１３】
0005593535.tif 000014